(57)【要約】      （修正有）【課題】身体の異なった部分への揉み及びマッサージ効果は使用者がより快適であると感じることができ、優しいマッサージ効果を与えるために使用者に応じて必要とされるマッサージ器の操作周波数を規定できる。又、マッサージ器を使用しないときに、可動ベースの動きを防ぐためにマッサージ器に固定用ボルトを付加し、それにより、マッサージ器を容易に移動設置することがでるマッサージ器を提供する。【解決手段】マッサージ器はベースカバーと; ベースカバーの中間部に置かれた複数の案内レールを有する案内装置と；案内装置の上方に支持され底部と該底部を覆うシールドとを含んでコンパートメントを形成する可動ベースであって、スリーブ接続により案内装置上に設けられている可動ベースと；を含む。可動ベースは、底部とシールドの間に設けた動力装置と、伝動系と、シールドに取り付けたマッサージ系とを含んでなる。【選択図】図１
0003113057.tif 000002
【実用新案登録請求の範囲】
【請求項１】
ベースカバーと；
前記ベースカバーの中間部に置かれた複数の案内レールを有する案内装置と;
前記案内装置にスリーブ接続によって取り付けられ前記案内装置の上方に支持された可動ベースであって、コンパートメントを形成するために、底部と、該底部の上に配設され該底部を覆うシールドを含む可動ベースと；
を含んでなるマッサージ器。
【請求項２】
請求項1に記載のマッサージ器であって、前記可動ベースは、前記底部と前記シールドの間に設けた電力装置と、前記シールドに取り付けた伝動系とマッサージ系を含んでなるマッサージ器。
【請求項３】
請求項２に記載のマッサージ器であって、前記可動ベースは、
少なくとも1個のモータと；
前記モータの端部に設けた少なくとも1個のウォームと；
前記ウォームで揺すられる複数のウォームホイールであって、前記マッサージ系の中央軸孔に取り付けられた上端と、第１小歯車にスリーブ接続された下端を有するウォームホイールと；
前記第１小歯車の片側に取り付けられた大歯車と；
前記大歯車と前記小歯車によって揺すられる中間歯車と；
前記大歯車の下に配設されラックによって揺すられる第２小歯車と；
前記マッサージ系に取り付けられた少なくとも1つの揉みヘッドと；
をさらに含むマッサージ器。
【請求項４】
請求項２に記載のマッサージ器あって、前記可動ベースは、所定角度をなす方向にセットされた2個のモータを含み、
前記各モータは少なくとも1つのウォームと、該ウォームによって揺すられる少なくとも1個のウォームホイールを有し、
前記ウォームホイールはその下部に第１小歯車を有し、
前記第１小歯車の側面に大歯車が取り付けられ、
前記大歯車と前記第１小歯車によって揺すられる中間歯車を設け、
ラックによって揺すられる第２小歯車が前記大歯車に取り付けられ、
前記マッサージ系は、少なくとも1つの揉みヘッドを備える少なくとも1つの回転棚を含む、
マッサージ器。
【請求項５】
請求項４に記載のマッサージ器であって、前記回転棚に対称的に取り付けられた2つのきのこ形の揉みヘッドと、前記可動ベースに取り付けられ前記２つの揉みヘッドを個別に又は同等に作動させるように制御する制御回路とを有するマッサージ器。
【請求項６】
請求項２に記載のマッサージ器であって、前記案内レールの側部に複数のルートスイッチを設けたマッサージ器。
【請求項７】
請求項５に記載のマッサージ器あって、前記可動ベースの動きを防ぐために、ボルトを指し込むための固定孔が前記ベースカバーの背面に形成され、マッサージ器の電力ワイヤは、前記ボルトを通って延伸し前記ボルトにしっかり固定される外端を有するマッサージ器。
【請求項８】
請求項２に記載のマッサージ器であって、前記可動ベースは、
底部と；
前記底部の前部に設けたモータと；
前記モータの一端に結合した少なくとも1個のウォームと; 
前記ウォームによって揺すられて伝動される少なくとも1個のウォームホイールと；
前記底部の前記案内レールの側面に設けた少なくとも1個のラックと；
前記ウォームホイールと前記ラックの間で揺すられる伝動歯車と；
前記底部の後部にセットされた支持板と；
前記支持板の両側に置かれた少なくとも1個のボルト軸と；
前記マッサージ系を局部化するための少なくとも1つの切込みと；
前記可動ベースに形成された少なくとも1個の案内レールと；
を含んでなるマッサージ器。
【請求項９】
請求項２に記載のマッサージ器であって、
2個の対称回転ホイールと；
前記回転ホイールに接続された少なくとも1個のブラケットと；
前記ブラケットを受ける少なくとも1個のブラケットスリーブと；
をさらに含んでなるマッサージ器。
【請求項１０】
請求項２に記載のマッサージ器であって、前記可動ベースは、
底部に形成された溝を備える少なくとも1つの支持ピースと；
前記支持ピース底部に置かれたモータと；
前記モータの一端に接続された少なくとも1個のウォームと；
前記ウォームによって揺すられて伝動される少なくとも1個のウォームホイールと；
前記ウォームホイールによって揺すられる伝動歯車と；
前記案内レールによって揺すられる小歯車と；
前記小歯車と前記伝動歯車の間で揺すられる中間歯車と；
メディアプレート、2つの揉みヘッドを備えるたたき手段、およびモータの他端に配設され少なくとも1つの揉みヘッドに連結された偏心輪と；
を含んでなるマッサージ器。
【請求項１１】
請求項２に記載のマッサージ器あって、前記可動ベースは、
底部と；
前記底部に取り付けられたモータと；
前記モータの一端に結合された少なくとも1個のウォームと；
前記ウォームによって揺すられて伝動される少なくとも1個のウォームホイールと；
前記案内レールと前記ウォームホイールの間で揺すられる中間歯車と；
前記ウォームホイールの両側で接続された偏心輪と；
前記偏心輪から突出したボルト軸と；
中央部において前記ボルト軸に連結された回転プレートと；
前記回転プレートの一端に設けた少なくとも1つの捏ねプレートと；
前記回転プレートの他端に設けた回転軸と；
前記回転軸を受ける案内スロットを備える案内ブロックと；
前記シールドに形成した少なくとも1つの溝であって、前記捏ねプレートが該溝を通って延伸する溝と；
を含んでなるマッサージ器。
【請求項１２】
請求項１１に記載のマッサージ器であって、前記捏ねプレートは弓形に湾曲した本体と、該本体上に設けた複数の丸いゴム板を含むマッサージ器。
【考案の詳細な説明】
【技術分野】
【０００１】
本考案は目新しい構造を備えるマッサージ器に関し、特に、種々の形式のマッサージ効果を得るためにウォームを使用してウォームホイールを駆動するマッサージ器に関する。
【考案の開示】
【考案が解決しようとする課題】
【０００２】
台湾特許No.238543と435223に開示されるように従来のマッサージ器は、一般に、ウォームを利用して２つの対応するウォームホイールを相対回転駆動して、これらのウォームホイールに偏心して連結された揉み構成要素を円状に運動させてマッサージ機能を実行するものである。現在のところ、マッサージ器は、通常、マッサージ椅子の首マッサージ部分に組み立てられるか、個々のマッサージ椅子に設けられる。しかしながら、上記マッサージ器の主な欠点はそれがただ一つのマッサージ効果を供給するだけであるということである。
【０００３】
したがって、上記の問題を解決するマッサージ器を提供する必要がある。
【課題を解決するための手段】
【０００４】
本考案の主目的は、従来技術の上記欠点を克服するために、様々なマッサージ効果を供給できるマッサージ器を提供することである。
【０００５】
上記目的を達成するために、マッサージ器はベースカバーと; ベースカバーの中間部に置かれた複数の案内レールを含む案内装置と；案内装置の上方に配設され、底部と該底部を覆うシールドとを含んでコンパートメントを形成する可動ベースであって、スリーブ接続により案内装置に設けられた可動ベースと;を含む。可動ベースは、底部とシールドの間に取り付けられた電力装置と、伝動系（伝動装置、即ち、伝動システム）と、シールドに取り付けられたマッサージ系（マッサージシステム）を含んでなる。
【０００６】
考案の１実施例によると、可動ベースがさらに、少なくとも1個のモータと；該モータの端部に設けた少なくとも1個のウォームと；該ウォームによって揺すられる複数のウォームホイールと；を含み、各ウォームホイールは、マッサージ系の中央軸孔に取り付けられた上端と、第１小歯車にスリーブ接続された下端とを有し、大歯車が第１小歯車の片側に設けられ、中間歯車が大小歯車によって揺すられるように設けられ、第２小歯車がラックによって揺られるように大歯車の下に設けられ、少なくとも1つの揉みヘッドがマッサージ系に取り付けられている。
【０００７】
考案の別の実施例によると、可動ベースは所定の角度にセットされた2個のモータを含み、各モータは少なくとも1個のウォームと、該ウォームによって揺すられる少なくとも1個のウォームホイールを持ち、それぞれのウォームホイールは底部に第１小歯車を持ち、第１小歯車の側面に取り付けられた大歯車を有し、かつ、大歯車と小歯車によって揺すられる中間歯車を有し、第２小歯車が大歯車に設けられてラックによって揺すられ、マッサージ系は、少なくとも1つの揉みヘッドを備える少なくとも1個の回転棚を有する。該回転棚にきのこの形をした2つの揉みヘッドが対称的に取り付けられ、これらの揉みヘッドを個別に又は同調して作動させるように制御する制御回路を可動ベースに提供する。案内レールの側部に複数のルートスイッチを提供する。可動ベースの動きを防ぐためにボルトを指し込むための固定用孔がベースカバーの背面に形成され、マッサージ器の電力ワイヤの外端はボルトを通って延伸しボルトにしっかり固定される。
【０００８】
考案のさらなる実施例によると、可動ベースは、底部と; 底部の前部に設けたモータと; モータの一端に連結された少なくとも1個のウォームと; ウォームによって揺すられて伝動される少なくとも1個のウォームホイールと; 底部の案内レールの側部に提供された少なくとも1個のラックと；ウォームホイールとラックの間で揺すられる伝動装置と；底部の後部にセットした支持板と；支持板の両側に置かれた少なくとも1個のボルト軸と; マッサージ系を局部化するための少なくとも1つの切込みと；可動ベースに設けた少なくとも1個の案内レールと：を含む。マッサージ器は、さらに、2個の対称回転ホイールと; これらの回転ホイールに接続する少なくとも1個のブラケットと;該ブラケットを受ける少なくとも1個のブラケットスリーブと；を含む。
【０００９】
考案の別の実施例によると、可動ベースは、底部に溝が形成された少なくとも1つの支持ピースと；該支持ピースの底部と；該底部上に置かれたモータと；該モータの一端に接続された少なくとも1個のウォームと；ウォームによって揺すられ伝動される少なくとも1個のウォームホイールと；該ウォームホイールで揺すられる伝動歯車と；案内レールで揺すられる小歯車と; 小歯車と伝動歯車の間で揺すられる中間歯車と；メディアプレートと；2つの揉みヘッドを有するたたき手段と；モータのもう一方の端部に設けた少なくとも1つの揉みヘッドに接続する偏心輪と；を含む。
【００１０】
さらなる実施例によれば、可動ベースは、底部と；底部に取り付けられたモータと；モータの一端と結合された少なくとも1個のウォームと；ウォームによって揺すられて伝動される少なくとも1個のウォームホイールと; 案内レールとウォームホイールの間で揺すられる中間歯車と；ウォームホイールの両側で接続した偏心輪と; 偏心輪の上にはみ出たボルト軸と;ボルト軸にその中央においてつなげられた回転プレートと；回転プレートの一端に設けた少なくとも1枚の揉みプレートと; 回転プレートのもう一方の端部に提供された回転軸と；回転軸を受ける案内スロットを備える案内ブロックと; シールドに形成された少なくとも1つの溝であって、揉みプレートが該溝を通って延伸する少なくとも1つの溝と；を有する。揉みプレートは弓形に曲がった本体と、該本体上の複数の丸いゴム板とを含む。
【００１１】
考案は、従来技術と比較して次の利点を有する。第一に、ウォームホイール、ウォーム及び歯車(ラック)、並びに、底部における案内レールとラックに対して調整された可動ベースの動きによって伝えられた揉みヘッドの回転を通じて、使用者の背中の形状とされる湾曲した案内レールが手によるマッサージの効果を得るために手によるマッサージ動作をよりうまく模倣できることである。身体の異なった部分への揉み及びマッサージ効果は使用者がより快適であると感じることができる。優しいマッサージ効果を与えるために使用者に応じて必要とされるマッサージ器の操作周波数を規定できる。マッサージ器を使用しないときに、可動ベースの動きを防ぐためにマッサージ器に固定用ボルトを付加し、それにより、マッサージ器を容易に移動設置することができ、非使用時に通電することを避け高い安全性を有することができる。
【００１２】
考案をより容易に理解できるように、そのいくつかの特定の実施例を添付図面に関して以下に説明する。
【考案の詳細な説明】
【００１３】
図1-3に言及し、考案の第１実施例によると、マッサージ器はベースカバー10、案内装置13、および可動ベース3を含む。案内装置13はベースカバー10の中間部に置かれた複数の案内レール131によって構成される。可動ベース3は底部11とシールド12を含む。シールド12は底部11を覆ってシャシ1を形成する。2個のモータ4と4'が底部11とシールド12間に組み込まれ、伝動系（伝動装置）5とマッサージ系（マッサージシステム）6はシールド12上に置かれる。可動ベース3は案内装置13の上に支持され、案内装置13によって定まる領域内を動くことができる。考案では、モータ4と4'は所定の角度をなすように配置され、それぞれ出力端にウォーム51、ウォーム51'を備える。2個のウォームホイール52と52'はそれぞれ、モータ4と4'のウォーム51と51'によって揺すられ同期して駆動される。2個のウォームホイール52と52'は比較的可動ベース3内で回転される。ウォームホイール52、52’のそれぞれウォームホイール軸52' aは、マッサージ系6のそれぞれの対応する回転棚62の中央軸孔611に取り付けた上端と、小歯車53にスリーブ接続された下端を含む。また、伝動のために大歯車54が小歯車53の片側に取り付けられる。大歯車54と小歯車53で揺すられる中間歯車55が備えられる。さらに、大歯車54の下に、ラック17で揺すられる別の小歯車を提供する。2つの揉みヘッド61と61'がそれぞれの回転棚62に取り付けられ、これらの揉みヘッドは中央軸孔611の両側に対称的に提供される。１実施例において、各揉みヘッド61と61'はきのこ形である。
【００１４】
操作の間、最初に、モータ4と4'に電力を供給してそれらのモータを回転駆動して、ウォーム51とウォームホイール52から成る第１伝動系と、ウォーム51'とウォームホイール52'から成る第２伝動系を駆動する。ウォーム51、51'はモータ4、4'に接続されて、ウォームの両側でホイール52、52'を回転駆動する。考案では、回転棚62、62'はウォームホイール52、52'上に固定されているのでこれらのウォームホイール52、52'と共に回転する。次に、回転棚62と62'の揉みヘッド61、61'は回転棚62と62'の回転と共に回転される。差し当たり、揉みヘッド61、61'は自分自身で回転される。使用者が背中を揉みヘッド61、61'上に置くと、背中が使用者の指によって揉みられているような感じを受ける。実施例では、2個のウォームホイール52と52'が反対方向に回転し、かつ、揉みヘッド61、61'が'回転棚62、62'上に比較設定されているので、手によるマッサージ効果の模倣を達成するために使用者に生じる圧力を変えることができる。'ウォームホイール52が回転すると、別のウォームホイール52'は、小歯車53と中間歯車55を介して、スピードダウンして大歯車54に伝動される。大歯車54の上の小歯車は、可動ベース3を駆動して使用者の背中の上で運動させて手によるマッサージを模倣するように、底部11においてラック17によって揺すられる。案内レール131は可動ベース3を案内してスムーズに動かすために使用される。2個のモータ4、4'はそれらの両方又は片方を作動させるようにマッサージ器の回路によって制御され、その結果、様々なマッサージ効果を達成する。
【００１５】
図４−６に示す考案の第２実施例によると、マッサージ器はベースカバー10、案内装置13、および可動ベース3を含む。可動ベース3は、シャシを形成するために、底部11と、その上に設けられそれを覆うシールド12を含む。案内装置13はベースカバー10の中間部に置かれた複数の案内レール131によって構成される。可動ベース3は底部11とシールド12の間で組み立てられる単一のモータ4を含む。伝動系5とマッサージ系6はシールド12上に置かれている。可動ベース3は案内装置13の上に支持され、案内装置13によって定めされる領域内で運動することができる。考案では、モータ4の出力端にウォ−ム51を提供する。2個のウォームホイール52と52'は、モータ4のウォーム51により揺すられ同期して駆動される。2個のウォームホイール52と52'は比較的可動ベース3内で回転される。ウォームホイール52、52'のそれぞれのウォームホイール軸52'a は、マッサージ系6の各回転棚62、62'の中央軸孔611に取り付けた上端を有する。2つの揉みヘッド61と61'は、中央軸孔611の両側に対称的に提供される2つの固定具612に取り付けられる。揉みヘッド61と61'はきのこ形である。可動ベース3が動くことを防止するためにボルト14を指し込むための固定孔15がベースカバー10の背面に形成されている。マッサージ器の電力ワイヤ16は、ボルト14の中間孔を通って延伸しボルト14の内端にしっかり固定されている外端を有する。操作の間、最初に、可動ベース3の自由移動状態を回復するためにボルト14を引き抜かなければならず、次に、事故を防止するために電気を供給する。実施例において、ボルト14に対応する底部11の背面にシールドブロック19を提供する。ボルト14が引き抜かれると、シールドブロック19はばね手段の圧力下で固定孔15を自動的に塞ぐ。これは、いかなる他のものが固定孔の中に落ち込んで可動ベースの運動に影響することを防ぐ。回転棚６２は、ウォームホイール５２のホイール軸５２’aに位置される。実施例では、ウォームホイール５２’は小歯車５３に連結される。小歯車５３は中間歯車５４によって揺すられる。ウォームホイール５２’は、小歯車５３と中間歯車５４を介して、スピードダウンして大歯車５４に伝動される。さらに、ラック１７によって揺すられる別の小歯車が大歯車５４の下側に設けられる。実施例では、ベースカバー10内における可動ベース3の可動ルートにそって数個のルートスイッチ18が設定される。ルートスイッチ18は、異なったボディー部分を都合良くマッサージするために可動ベース3を異なった位置に留まらせることができるものである。
【００１６】
操作の間、最初に、モータ4に電力を供給してそれを回転駆動し、ウォームとウォームホイールで伝動系を駆動する。すなわち、ウォーム51はモータ4に連結されており、その両側に位置するウォームホイール52、52'を回転駆動させる。本考案では、回転棚62、62'はウォームホイール52、52'に固定されているのそれと共に回転する。次に、回転棚62と62'の揉みヘッド61、61'は回転棚62と62'の回転と共に回転する。差し当たり、揉みヘッド61、61'は自分たちで回転する。使用者は、背中を揉みヘッド61、61上に置くと、背中が人の指で揉まれている感じを受ける。実施例では、2個のウォームホイール52と52'が反対方向に回転し、かつ、揉みヘッド61、61が'回転棚62、62上に比較設定されているので、手によるマッサージ効果の模倣を達成するために使用者に加える圧力を変えることができる。ウォームホイール52が回転すると、別のウォームホイールは、小歯車53と中間歯車55を介して、スピードダウンして大歯車54に伝動される。大歯車54の上の小歯車は、可動ベース3を使用者の背中の上で移動させて手によるマッサージを模倣するために、底部11においてラック17によって揺すられる。案内レール131は、可動ベース3を案内して、その動きをスムーズにするために使用される。
【００１７】
図8-9に示す考案の第３実施例によると、マッサージ器はベースカバー10、案内装置13、および可動ベース3を含む。可動ベース3は、シャシを形成するために、底部11と、その上にもうけられてそれを覆うシールド12を含む。案内装置13はベースカバー10の中間部に置かれた複数の案内レール131によって構成される。可動ベース3は底部11とシールド12の間で組み立てられる単一のモータ4を含み、伝動系5とマッサージ系6はシールド12の上に置かれている。可動ベース3は案内装置13の上に支持され、案内装置13によって定まる領域内で運動することができる。実施例では、モータ4は底部11の前端の溝141に取り付けられる。可動ベース3は、レール溝1311を備える案内レール131と、モータ4の出力端のウォーム51と、ウォームホイール52と、案内レール131の側面に設けたラック17をさらに含む。ウォームホイール52はウォーム51によって揺すられ駆動される。可動ベース3はまた中間歯車55と支持ピース142を含んでいる。中間歯車55はウォームホイール52とラック17の間で揺すられる。支持ピース142は底部11の背面に設けられ、その両側は、レール溝1311内で突出してそこで運動する2個のボルト軸1421を備える。マッサージ系6のピッチのために、支持ピース142の上部の両端に2つの切込み1422が設けられている。揉みヘッド61、61'は可動ベース3の上板143の上に置かれる。マッサージ系6は、2個の対称な回転ホイール162、162'と、回転ホイール162、162'にヒンジ結合された2つのブラケット63と63'と、2個のブラケットスリーブ64、64'を含む。回転ホイール162、162'は、コラム又は歯車などの異なった形で作られうる。ブラケット63、63'の主軸は可動ベース3の上板143の貫通孔1431を通って延伸し、上板143の下の支持ピース142に固定される。支持ピース142は取り外し可能であり、揉みヘッド61と61'は支持ピース142と共に上下に運動することができる。案内レール131は人体の曲線と同様の曲線を備え、ラック17の外側で提供される。また、曲がった溝1311はラック17に隣接して案内レール131の側面に形成される。ボルト軸1421は案内レール131のレール溝1311に係合している。
【００１８】
操作の間、モータ4の運転開始の後、ウォーム51が中間ホイール55に伝動し、中間ホイール55はラック17に対して前方及び後方に動く。中間ホイール55が可動ベース3に固定されているので、可動ベース3は同時にまた、ラック17に沿って前後に動く。さらにラック17が中間ホイール55で揺すられるので、可動ベース3は、前後に動くとき横流し（スウェイ）を生じない。さらなる実施例では、可動ベース3の底板に溝を形成でき、かつ、可動ベース3が動く間により安定するように対応するレールを底部11にセットできる。その瞬間、揉みヘッド61、61'は可動ベース3と共に動く。支持ピース142は案内レール131のレール溝1311に沿って動く。溝1311が湾曲しているので、揉みヘッド61と61'は人体曲線に沿って曲がった運動を行ってマッサージする。さらに、回転ホイール162と162'は自動的に最も良い角度に回転でき、動かなくなることがない。したがって、ユーザは、故意に真っ直ぐに座る必要はなく、気楽に座って、ベストなマッサージ効果を得ることができる。その上、ボルト軸1421を溝によって取り替えることができ、可動ベース3の動きの安定性を改良するために案内レール131を溝に埋め込む。ラック17を取り替えるために、案内レール131上ではみ出た歯(図示省略)を提供することができる。
【００１９】
図10-11に示す考案の第４実施例によると、マッサージ器はベースカバー10、案内装置13、および可動ベース3を含む。可動ベースは、シャシを形成するために、底部11と、その上に設けられそれを覆うシールド12を含む。案内装置13はベースカバー10の中間部に置かれた複数の案内レール131によって構成される。可動ベース3は底部11とシールド12の間で組み立てられる単一のモータ4を含み、伝動系5とマッサージ系6はシールド12の上に置かれている。可動ベース3は、案内装置13の上に支持され、案内装置13によって定まる領域内を運動することができる。可動ベース3はさらに支持ピース142を含む。レール溝1311は案内レール131に形成され、支持ピース142の底部に対称的に配設されている。実施例では、底部11は支持ピース142上に設けられ、モータ4は底部11に取り付けられている。モータ4の前方出力端にウォーム51が設けられ、ウォーム51によって揺すられ駆動されるウォームホイール52が設けられている。ウォームホイール52で揺すられる大歯車54を提供する。案内レール131のレール溝1311によって揺すられる小歯車53を提供する。小歯車53と大歯車54で揺すられる中間歯車55を提供する。モータ4の後方出力端にメディアプレート41と、偏心輪42と、たたき手段6を備える。たたき手段6は、ティーターボードのように接続される2つの揉みヘッド61と61'を含む。たたき手段6は、弓形をしたコネクチングロッド62を備える。貫通孔63がコネクチングロッド62に形成される。クロスシャフト64は貫通孔63を通って延伸し、可動ベース3の底部11に固定される。たたき手段6はクロスシャフト64の周りを左右にスイングすることができる。案内レール131は人体カーブと同様のカーブを備え、底部11に取り付けられる。小歯車53は案内レール131のレール溝1311で揺すられる。
【００２０】
操作の間、モータ４を始動させた後、モータ4の１出力端はウォーム51を、次に、ウォームホイール52を回転させる。大歯車54は、モータ4の高速回転のため、スピードダウン機能を達成するためにウォームホイール52より大きい。小歯車53は、可動ベースを3に多重運動を行わせるために、案内レール131のレール溝1311で揺すられる。多重運動の1つはベースカバー10に沿った平面運動であり、もう１つは上下運動である。実施例では、モータ4の別の出力端はメディアプレートを回転駆動して偏心輪42に上下振動及び左右スウィングを伴う多重運動をさせるる。さらに、偏心輪42がたたき手段6に接続されているので、マッサージ器は、その中心軸回りの上下振動と、水平なスイングを伴う多重運動を行う。シールド12はたたき手段6に設けられ、可動ベース3に固定されている。また、揉みヘッド61と61'に対応してシールド12に2つの貫通開口500が形成されているので、揉みヘッド61と61'は貫通開口を通って延伸してマッサージ機能を実行することができる。実施例において、可動ベース3の可動の安定性を改良する2つの方法がある。第１の方法は、可動ベース３の底部に孔を形成し、かつ、可動ベース３の該孔に取り付けられるまっすぐなロッドを備える回転ホイールを受ける溝を底部11の形成することである。第２の方法は、可動ベース3の底部に孔を形成し、かつ、底部11にラックを形成し、該ラックに対応へする溝を有する支持ピース142を可動ベース3の底部に形成してラックを溝に係合させ、支持ピース142にまた可動ベース3の底部の孔に取り付けるまっすぐなロッド1421を持たせることである。湾曲形状の案内レール131により、ユーザは、故意にきちんと座る必要はなく、ただ楽に座るだけでよい。可動ベース3の曲線運動は、たたき手段6に人体（背中など）をたたかせる。
【００２１】
図12-14に示される考案の第５実施例によると、マッサージ器は、ベースカバー(図示省略、上記実施例のベースカバーと同様なもの)、案内装置13、および可動ベース3を含む。可動ベース3は、シャシを形成するために、底部11と、その上に設けられてそれを覆うシールド12を含む。案内装置13は底部11の中間部に置かれた複数の案内レール(図示省略、上記実施例のベースカバーと同様なもの)によって構成される。可動ベース3は、底部11とシールド12の間で組み立てられるモータ4と、シールド12の上に置かれた伝動系5とマッサージ系6を含む。可動ベース3は、案内装置13の上に支持され、可動ベース3によって定まる領域内を運動することができる。可動ベース3はモータ4の出力端に設けたウォーム51と、ウォームホイール52と、案内レールの側面に設けたラック17をさらに含む。ウォームホイール52はウォーム51によって揺すられ駆動される。可動ベース3は、ウォームホイール52とラック17の間で揺すられる小歯車53をさらに含む。偏心輪42はウォームホイール54の両端に接続される。偏心輪42はその偏心位置において突出したボルト軸422を持っている。回転プレート65はその中心においてボルト軸422につながれ、その一端に固定された捏ねプレート651を有する。捏ねプレート651は弓形に湾曲した本体6511と複数の丸いゴム板6512を含む。回転プレート65はその別の端部から延伸する回転軸652を含む。回転軸652は案内ブロックの中央に形成される三日月形の案内スロット6531に係合される。2つのがシールド12に設けられ、揉みプレート651がこれらの溝121を通って延伸する。モータ4はウォーム51に接続する出力端を備える。ウォーム51はウォームホイール52と大歯車54で揺すられる。小歯車53は、大歯車54で揺すられるようにウォームホイール52に固定されている。モータ4の高速回転とマッサージの間の接触過程により、スピードダウンのためのマルチレベルギヤトランスミッションを提供する。人体のポイントをマッサージするためにゴム板6512を使用することができる。回転プレート65は揉みプレート651に実質的に垂直に接続する。偏心輪42は、揉みプレート651を偏心輪42と共に回転させるためにボルト軸422を有する。ボルト軸422と回転プレート65のジョイントが同じ線に位置していないので、揉みプレート651をカーブ溝6531内で前後に運動させることは非常に難しい。2つの揉みプレート651をそれらのピークに連続して達しさせて人体をマッサージさせるために、偏心輪42の回転軸を異なる高さにさせるように調整でき、それと同時に、ボルト軸422を案内ブロック653の湾曲溝6531にしっかりと埋め込むように揉みプレート651を調整できる。
【００２２】
操作の間、モータ4はウォーム51を回転駆動し、ウォーム51は伝動系5を回転駆動する。伝動系5は、ウォームホイール51の小歯車53、ウォームホイール52の小歯車、および中間歯車55によって可動ベース3の回転速度を減速させる。その結果、可動ベース3を通常ラックに沿って動かせる。偏心輪42は2つの捏ねプレート651を運転する。ボルト軸422が案内ブロック653の湾曲溝6531に埋め込まれているので、2つの捏ねプレート651は抑制され円の運動をしないが、カーブ溝6531の形のような弓形に沿って前後方向の運動を行う。偏心輪42の回転軸が回転プレート6５の孔に取り付けられるので、その作動が止まることはない。このように、2つの捏ねプレート651が順番に人体を手による「背中踏み」としてマッサージする。可動ベース3の動作の安定を改善するために、案内レール131を底部11に設け、かつ、底部11の底板に溝を設けて案内レール131を埋め込んでいる（図示省略）。
【００２３】
本考案はその技術的思想から逸脱することなく、他の形態としても実施できることが理解される。明細書において説明した実施例はあらゆる点で説明の目的のものであり、限定的なものではなく、考案を明細書における詳細に制限するものではない。
【図面の簡単な説明】
【００２４】
【図１】考案の第１実施例によるデュアル駆動モータを備える可動ベースの斜視図である。
【図２】考案の第１実施例によるデュアル駆動モータを備えるマッサージ器の斜視図である。
【図３】図1の展開図である。
【図４】考案の第２実施例による駆動モータを備えるマッサージ器の斜視図である。
【図５】考案の第２実施例による単一駆動モータを備える可動ベースの展開斜視図である。
【図６】図５の可動ベースの組立状態図である。
【図７】図４のマッサージ器の操作を説明するための概略図である。
【図８】考案の第３実施例によるマッサージ器の斜視図である。
【図９】図８の展開図である。
【図１０】考案の第４実施例によるマッサージ器の斜視図である。
【図１１】図１０の展開図である。
【図１２】考案の第５実施例によるマッサージ器の斜視図である。
【図１３】図１２の展開図である。
【図１４】図１２のマッサージ器のシールドの斜視図である。
【図１】
0003113057.tif 000003
【図２】
0003113057.tif 000004
【図３】
0003113057.tif 000005
【図４】
0003113057.tif 000006
【図５】
0003113057.tif 000007
【図６】
0003113057.tif 000008
【図７】
0003113057.tif 000009
【図８】
0003113057.tif 000010
【図９】
0003113057.tif 000011
【図１０】
0003113057.tif 000012
【図１１】
0003113057.tif 000013
【図１２】
0003113057.tif 000014
【図１３】
0003113057.tif 000015
【図１４】
0003113057.tif 000016